(57)【特許請求の範囲】
【請求項１】
洗い場排水口と浴槽排水口とを連結する排水部材の接続方法であって、
浴槽を設置する前に、洗い場の所定位置に排水トラップを固定しておくとともに、可撓部を有する配管を介して前記排水トラップに接続された排水エルボを鉛直方向においては自重によって垂れ下がることを規制して所定高さを保持可能に、且つ水平方向においては所定範囲内で移動して位置調整可能に、後から所定位置に設置される前記浴槽排水口の下方位置に取り付けておくことを特徴とする排水部材の接続方法。
【請求項２】
前記浴槽の設置後から当該排水部材の接続が完了するまでの当該浴槽の荷重を、前記排水エルボが位置する箇所とは異なる箇所にて支持することを特徴とする請求項１に記載の排水部材の接続方法。
【請求項３】
前記排水エルボには、前記浴槽を設置することにより、前記浴槽排水口の開口中心に対して当該排水エルボの開口中心が略合致するように従動する第１の従動部が設けられていることを特徴とする請求項１に記載の排水部材の接続方法。
【請求項４】
前記排水エルボには、当該排水エルボを前記浴槽に固定する締付けフランジを締付けることにより、前記浴槽排水口の開口中心に対して当該排水エルボの開口中心が略合致するように従動する第２の従動部が設けられていることを特徴とする請求項１に記載の排水部材の接続方法。
【請求項５】
前記排水エルボには、前記浴槽を所定位置に設置する際、前記浴槽排水口の開口中心と前記排水エルボの開口中心が一致していない場合に前記浴槽を傾かせる障害部が形成されていることを特徴とする請求項１に記載の排水部材の接続方法。
【請求項６】
前記排水エルボを、前記可撓部を有する配管の曲がり癖の影響によらず水平状態を保持可能に取り付けることを特徴とする請求項１から５のいずれか一項に記載の排水部材の接続方法。
【請求項７】
前記排水エルボを、前記浴槽を支持する浴槽支持材の所定位置に取り付け、前記浴槽を、前記浴槽支持材の所定位置に位置決めして設置することを特徴とする請求項１から６のいずれか一項に記載の排水部材の接続方法。
【請求項８】
洗い場排水口と浴槽排水口とを連結する排水部材を、該排水部材の接続後に所定位置に設置される前記浴槽排水口の下方位置に予め取り付けておくための排水部材の接続構造であって、
洗い場の所定位置に固定される排水トラップと、
可撓部を有する配管を介して前記排水トラップに接続される排水エルボと、
浴槽を支持する浴槽支持材に形成されており、前記可撓部を有する配管を介して前記排水トラップに接続された当該排水部材の前記排水エルボを、鉛直方向においては自重によって垂れ下がるのを規制して所定高さを保持可能に係止し、且つ水平方向においては所定範囲内で移動するのを許容する係止部と、
を備えることを特徴とする排水部材の接続構造。
【発明の詳細な説明】
【技術分野】
【０００１】
本発明は、排水部材の接続方法および接続構造に関する。
【背景技術】
【０００２】
浴室ユニットとして、浴槽の排水管を、洗い場床の排水トラップ内部に合流させるようにして洗い場排水口に接続した構造のものが利用されている。浴槽排水管の一端には、浴槽排水口に接続するため例えば浴槽排水エルボが取り付けられている。
【０００３】
このような浴槽排水管を設置する手法としては、２つの排水管を用い、浴室内に浴槽を設置した後に浴槽側の排水管と洗い場床側の排水管とを接続するというものがある（特許文献１参照）。また別の手法としては、排水トラップと排水エルボとが予め一体化された排水部材を洗い場排水口に取り付けておき、浴槽設置後に浴槽排水口から操作して浴槽排水口と排水エルボとを固定するというものがある（特許文献２参照）。
【先行技術文献】
【特許文献】
【０００４】
【特許文献１】特開２０１０−８４３７０号公報
【特許文献２】特許第４４０８６８９号公報
【発明の概要】
【発明が解決しようとする課題】
【０００５】
しかしながら、浴槽を設置した後に浴槽側の排水管と洗い場床側の排水管とを接続する手法は、狭いスペースに手を差し込んで接続作業をすることになるため作業性に劣り、尚かつ現場での配管接続作業となるから接続不良による漏水が生じる問題を完全に解消することが難しい。また、浴槽設置後に浴槽排水口から操作して浴槽排水口と排水エルボとを固定する手法では、自重で排水エルボが垂れ下がってしまうことがあり、その場合には狭い浴槽排水口に指を突っ込んで排水エルボを引き上げてから締結しなければならず、やはり作業性に劣る。
【０００６】
そこで、本発明は、浴槽設置後における作業性を向上させた排水部材の接続方法および接続構造を提供することを目的とする。
【課題を解決するための手段】
【０００７】
かかる課題を解決するべく、本発明者は浴槽設置の実情に着目して種々の検討を行った。浴槽排水口は接続不良があると漏水に繋がる箇所であるため、該浴槽排水口への排水エルボの接続作業は十分に注意して行われる必要があり、さらに浴槽排水口に指を突っ込んで排水エルボを引き上げる作業が加わるとすれば、浴槽排水口は小径であり指しか入らず引き上げにくいことから作業がとても煩雑である。浴槽を設置した後に浴槽側の排水管と洗い場床側の排水管とを接続する作業を不要にするならば、例えば、浴槽設置前に、フレキシブル管を介して排水エルボを洗い場排水口（排水トラップ）に固定しておき、後から設置される浴槽排水口の下方位置にこの排水エルボを位置させておく必要がある。ところが、この時点（浴槽が設置される前の時点）では排水エルボを固定する浴槽排水口が存在していないため、フレキシブル管を介して接続されている排水エルボが自重で下方に垂れ下がってしまうのは上述したとおりである。この点にも着目してさらに検討を重ねた本発明者は、課題の解決に結び付く知見を得るに至った。
【０００８】
本発明はかかる知見に基づくものであり、洗い場排水口と浴槽排水口とを連結する排水部材の接続方法であって、浴槽を設置する前に、洗い場の所定位置に排水トラップを固定しておくとともに、可撓部を有する配管を介して排水トラップに接続された排水エルボを鉛直方向においては自重によって垂れ下がることを規制して所定高さを保持可能に、且つ水平方向においては所定範囲内で移動して位置調整可能に、後から所定位置に設置される浴槽排水口の下方位置に取り付けておくことを特徴とする。
【０００９】
本発明にかかる排水部材の接続方法によれば、浴槽を設置した後は、浴槽排水口の下方に保持されている排水エルボを該浴槽排水口に接続すれば浴槽排水管の設置が済むという点で好適である。つまり、浴槽設置後は、狭いスペースに手を差し込んで浴槽側の排水管と洗い場床側の排水管とを接続するといった作業が不要であり、作業性に優れる。しかも、現場で配管接続する必要がないため、工場で予め配管接続した状態で出荷することも可能になり、これによれば接続不良により漏水が生じるおそれを低減することができる。
【００１０】
また、排水エルボが下方に垂れ下がってしまうという上述の課題を解決するには、例えば浴槽以外の部材に一時的に固定しておくことも考えられるが、排水エルボを一時固定してしまうと、組立誤差や寸法誤差があった場合に、後から設置される浴槽の浴槽排水口と当該排水エルボとの間にズレが生じることとなり、止水性能に影響を及ぼすおそれがある。この点、本発明にかかる排水部材の接続方法によれば、排水エルボが水平方向へ移動可能な状態で保持されているので、排水エルボと浴槽との間にこのような組立誤差や寸法誤差があったとしても排水エルボの位置を微調整することによって誤差を吸収することができる。
【００１１】
本発明にかかる接続方法においては、浴槽の設置後から当該排水部材の接続が完了するまでの当該浴槽の荷重を、排水エルボが位置する箇所とは異なる箇所にて支持することが好ましい。こうすることで、浴槽設置後の段階において当該浴槽の荷重が排水エルボに作用するのを回避し、当該排水エルボを水平方向に移動させることが可能な状態を保持することができる。
【００１２】
また、排水エルボには、浴槽を設置することにより、浴槽排水口の開口中心に対して当該排水エルボの開口中心が略合致するように従動する第１の従動部が設けられていることが好ましい。この場合、浴槽を所定位置に設置する動作に付随して排水エルボの水平方向位置が自動的に調整されるため、浴槽設置後に作業者が自ら排水エルボを浴槽排水口に対して位置調整する作業が不要であり、作業性がさらに優れる。
【００１３】
また、排水エルボには、当該排水エルボを浴槽に固定する締付けフランジを締付けることにより、浴槽排水口の開口中心に対して当該排水エルボの開口中心が略合致するように従動する第２の従動部が設けられていることが好ましい。この場合、締付けフランジを締付ける動作に付随して、排水エルボの水平方向位置が自動的に調整されるため、浴槽設置後に作業者が自ら排水エルボを浴槽排水口に対して位置調整する作業が不要であり、作業性がさらに優れる。
【００１４】
また、排水エルボには、浴槽を所定位置に設置する際、浴槽排水口の開口中心と排水エルボの開口中心が一致していない場合に浴槽を傾かせる障害部が形成されていることも好ましい。これによれば、浴槽排水口の開口中心と排水エルボの開口中心が一致していないことが容易に視認可能となるため、排水エルボを浴槽排水口に対して位置調整する作業を作業者に促すことができる。
【００１５】
さらには、排水エルボを、可撓部を有する配管の曲がり癖の影響によらず水平状態を保持可能に取り付けることが好ましい。本発明では排水エルボをねじ等の締結部材で堅固に固定するわけではないため、例えば移送時などにおいて可撓部に曲がり癖が付いている場合、曲がり癖の影響で排水エルボを傾かせる力が作用し、水密性能に影響が及ぶおそれがある。この点、本発明によれば曲がり癖の影響によらず水平状態を保持するので、水密性能を確保することが可能である。
【００１６】
さらに、排水エルボを、浴槽を支持する浴槽支持材の所定位置に取り付け、浴槽を、浴槽支持材の所定位置に位置決めして設置することが好ましい。こうした場合、排水エルボと浴槽とが、共に浴槽支持材に対して位置決めされた状態となるため、位置決めのために介在する部材が最小限で済み、組立誤差や寸法誤差による浴槽排水口と排水エルボの開口の位置ズレを最小化することが可能であり、微調整が容易である。
【００１７】
また、本発明にかかる接続構造は、洗い場排水口と浴槽排水口とを連結する排水部材を、該排水部材の接続後に所定位置に設置される浴槽排水口の下方位置に予め取り付けておくための排水部材の接続構造であって、洗い場の所定位置に固定される排水トラップと、可撓部を有する配管を介して排水トラップに接続される排水エルボと、浴槽を支持する浴槽支持材に形成されており、可撓部を有する配管を介して排水トラップに接続された当該排水部材の排水エルボを、鉛直方向においては自重によって垂れ下がるのを規制して所定高さを保持可能に係止し、且つ水平方向においては所定範囲内で移動するのを許容する係止部と、を備えることを特徴とするものである。
【発明の効果】
【００１８】
本発明によれば、浴槽設置後における排水部材の接続作業性を向上させることができる。
【図面の簡単な説明】
【００１９】
【図１】浴室ユニットの一例を示す平面図である。
【図２】洗い場と架台（浴槽支持材）、およびこれらの間に設置される浴槽排水管（排水部材）の一例を示す斜視図である。
【図３】洗い場と架台（浴槽支持材）、およびこれらの間に設置される浴槽排水管（排水部材）の別の例を示す斜視図である。
【図４】図３の浴槽排水口および排水トラップ付近を拡大して示す図である。
【図５】本発明にかかる接続構造の一例を示す浴槽排水口付近の縦断面図である。
【図６】接続構造の一例を示す浴槽排水口付近の縦断面図である。
【図７】接続構造および締付け部材の一例を示す図である。
【図８】環状ガイド（第１の従動部）を備えた接続構造の一例を示す縦断面図である。
【図９】環状ガイドを備えた接続構造の一例を示す縦断面図である。
【図１０】環状ガイドを備えた接続構造の一例を示す縦断面図である。
【図１１】環状ガイドを備えた接続構造および締付け部材の一例を示す図である。
【図１２】締付けフランジを締め付ける動作に付随して排水エルボの開口中心を浴槽排水口の開口中心に合致させるようにした接続構造の一例を示す縦断面図である。
【図１３】浴槽排水口の開口中心と排水エルボの開口中心とが一致していない場合には当該浴槽を所定位置に設置することが妨げられる仕組みの接続構造の一例を示す縦断面図である。
【図１４】図１３に示す接続構造において浴槽が所定位置に設置された状態を示す縦断面図である。
【図１５】接続構造および締付け部材の一例を示す図である。
【図１６】フレキシブル管（可撓部）を備えた浴槽排水管（排水部材）の一例を示す平面図である。
【図１７】浴槽排水管のフレキシブル管に曲がり癖がある場合にも排水エルボを係止部において水平に保持できるようにした接続構造の一例を示す縦断面図である。
【図１８】係止部の一例を示す浴槽、架台、洗い場の斜視図である。
【図１９】係止部の一例を示す浴槽排水口付近の拡大斜視図である。
【図２０】係止部の他の一例を示す浴槽排水口付近の拡大斜視図である。
【発明を実施するための形態】
【００２０】
以下、本発明の構成を図面に示す実施の形態の一例に基づいて詳細に説明する。
【００２１】
図１等に本発明にかかる排水部材の接続方法および接続構造の例を示す。排水部材たる浴槽排水管３は、洗い場排水口２２と浴槽排水口１１とを連結して浴槽１の排水を洗い場排水口２２に流すための部材である。本実施形態では、係止部等を備える接続構造によって、浴槽排水管３を、該浴槽排水管３の接続後に所定位置に設置される浴槽排水口１１の下方位置に、排水エルボ３１を所定高さに保持した状態で予め取り付けておくようにしている（図６等参照）。以下においてはまず浴室ユニットの概略を説明し、その後、浴槽排水管３の接続構造について説明する。
【００２２】
建築物内において浴室ユニットが設置されるスペースは、洗い場スペースと浴槽設置スペースとに大きく分けられる（図１参照）。洗い場スペースには洗い場２が設置される。浴槽設置スペースは洗い場スペースに隣接し、その建築物床面上には、架台（浴槽支持材）４が設置され（図２〜図４参照）、その架台４の上方に防水パン（図示省略）と浴槽１が設置される。
【００２３】
架台４は、柱状の金属材（鋼材）を縦横に組み合わせて構成され、浴槽水を溜めた状態で且つ入浴者が存在している状態の浴槽荷重を支えるのに十分な強度および耐久性を有する。
【００２４】
架台４の上には防水パンが支持されている。特に図示していないが、防水パンは、当該防水パンの外部に湯水を漏出させない防水性、および浴槽１に貯留された湯の保温性を実現するための断熱性を有し、例えば発泡系の断熱材からなる。この防水パンの上方には浴槽１が設置される。
【００２５】
浴槽１には、浴槽水を貯留可能な内槽部１２が形成されており、該内槽部１２の底面に浴槽排水口１１が設けられている（図１参照）。図１に示す本実施形態の浴槽１は、平面視形状が略四角形（もしくは長円形状等でもよい）であり、一対の長辺側浴槽壁のうちの一方を洗い場２側に向けて設置されている。
【００２６】
洗い場２の例えば浴槽１寄りの位置には、洗い場排水口２２が設けられている（図１参照）。この洗い場排水口２２には、排水トラップ２４（図２等参照）と、該洗い場排水口２２を覆う排水口カバー２５が設けられている。
【００２７】
上述の浴槽排水口１１と洗い場排水口２２とは、浴槽排水管３によって接続されている（図２〜図４参照）。なお、図３、図４では洗い場２の床パン２３を示しているが、これは単に洗い場２の床下構造の概略を示しただけのものであって、浴槽排水管３の接続構造の基本的な構成は図２に示すものと変わりない。
【００２８】
浴槽排水管３は、浴槽１の排水を排水トラップ２４の内部に合流させるよう浴槽排水口１１と洗い場排水口２２とを接続する。本実施形態の浴槽排水管３は、排水エルボ３１と、少なくとも一部にフレキシブル管３２を備えた配管３３とを備えている（図３等参照）。
【００２９】
排水エルボ３１は、配管３３を介して排水トラップ２４に接続される。本実施形態では、少なくとも工場から出荷する時点で浴槽排水管３の配管接続を完了した状態とし、設置現場（浴室）では、配管３３どうしの接続等を行わなくて済むようにしている。また、これら排水エルボ３１、配管３３さらに排水トラップ２４を当初から一体化してモジュールとしておき、浴槽排水管３ごと、排水トラップ２４を洗い場排水口２２に取り付けるようにすることもできる（図２等参照）。
【００３０】
配管３３は、少なくとも一部にフレキシブル管３２を含んでおり、排水トラップ２４に対する排水エルボ３１の相対位置を適宜変化させることを可能としている。また、配管３３は、途中に他のエルボなどが組み合わされる等により適宜曲折した形状とされている（図３等参照）。
【００３１】
続いて、浴槽排水管３の接続構造と接続方法について説明する（図５等参照）。
【００３２】
本実施形態では、接続構造として、浴槽１の架台４に、排水エルボ３１を保持するための係止部を設けている。この係止部は、浴槽排水管３の排水エルボ３１を、鉛直方向においては当該排水エルボ３１等の自重によって垂れ下がるのを規制して所定高さを保持可能に係止し、且つ水平方向においては所定範囲内で移動するのを許容する。
【００３３】
係止部の具体的な構造は特に限定されないが、浴槽１を所定位置にて支持する架台（浴槽支持材）４の所定位置に設けられた切り欠き等を係止部（以下、符号４１で示す）として用いることが好ましい。この形態については後で詳述する。
【００３４】
また、係止部４１は、排水エルボ３１を、所定高さを保持しつつ該所定高さよりも鉛直方向上方へ移動することあるいは傾斜することを許容する隙間を有していることが好ましい。このような隙間があると、当該係止部４１に排水エルボ３１を取り付ける作業が容易となるばかりでなく、例えばフレキシブル管３２が硬くて曲げにくい場合や曲げ癖が付いている場合でも排水エルボ３１を取り付けやすくなる。しかも、このような隙間は、排水エルボ３１が当該隙間内で水平方向に移動すること、傾斜することを許容するので、フレキシブル管３２に局部的かつ過度な力が作用するのを回避して剛性の低いフレキシブル管３２が破損等するのを回避し、あるいは当該フレキシブル管３２が反るのを抑えることができる（図６参照）。
【００３５】
上述のごとき構成の浴槽排水管３の接続構造においては、まず、洗い場２の所定位置に排水トラップ２４を固定したうえで、浴槽排水管３の排水エルボ３１を係止部４１に引っ掛けて保持する（図６参照）。排水エルボ３１は、水平方向へ移動すること、傾斜することが許容された状態で所定高さに保持される。その後、浴槽１を架台４の所定位置に配置することで、当該架台４の係止部４１に保持されている排水エルボ３１に対して、当該浴槽１の浴槽排水口１１を相対的に位置合わせすることができる（図６参照）。その後、浴槽排水口１１の上方から、締付け部材５を用いて浴槽１と排水エルボ３１とを締結する。締付け部材５としては、例えば、排水エルボ３１の内周側めねじに螺合するおねじ５１ｂや、浴槽排水口１１の凹部に嵌るフランジを備えた部材（以下、締付けフランジという）５１が用いられる（図７参照）。
【００３６】
なお、各部材間には排水時の水密性を確保するための部材が適宜設けられる。例えば本実施形態では、締付けフランジ５１と浴槽排水口１１との間にゴムパッキン５２とワッシャ５３を配置し、浴槽排水口１１と排水エルボ３１との間にできるＶ形の溝に潰れたゴムパッキン５２が入り込むようにしている（図５、図７参照）。また、浴槽排水口１１と排水エルボ３１のフランジ部３１ａとの間には、必要に応じて別のゴムパッキン５４が設けられる（図５、図７参照）。さらに、必要に応じて、浴槽排水口１１と排水エルボ３１との間にシリコン（図５において符号５５で示す）を塗布してもよい。シリコン５５は、現場で塗布することが可能であり、塗布後のシリコン５５に、浴槽排水口１１の下側に形成されたボス状部分（以下、ボス部という）１１ａを落とし込むようにして密着させてから硬化させれば水密性をさらに向上させることができる。さらに、締付けフランジ５１の下端付近と排水エルボ３１との間には、必要に応じてＯリングパッキン５６が設けられる（図５参照）。
【００３７】
このような浴槽排水管３の接続構造においては、浴槽１を架台４上に設置する際、排水エルボ３１が水平方向に移動可能であるため、当該排水エルボ３１の位置を微調整して浴槽排水口１１との位置合わせを容易に行うことができる。また、架台４の係止部４１において排水エルボ３１が所定高さに保持されているため、接続の際に狭い浴槽排水口１１に指を突っ込んで排水エルボ３１を引き上げるといった手間がないため、浴槽設置後の作業性が向上する。
【００３８】
しかも、この接続構造によれば、排水エルボ３１を浴槽排水口１１に接続すれば接続作業が済み、現場において配管どうしを接続する必要がない。このため、工場で予め配管接続した状態で出荷することが可能であり、現場接続した場合に生じることのある接続不良により漏水が生じるおそれを低減することができる。
【００３９】
加えて、この接続構造は、架台４に係止部４１を設けて排水エルボ３１を保持するようにしたものであり、浴槽１を支持するためにもともと設置される架台４の一部を利用することができるため、構造が簡便であり、他部材を追加した場合のようなコストを要しないで済む。
【００４０】
なお、ボス部１１ａは、浴槽排水口１１と排水エルボ３１との接続時、当該ボス部１１ａの下端と排水エルボ３１との間に鉛直方向の隙間ができるように形成されていることが好ましい（図５参照）。こうした場合には、浴槽１を所定位置に設置したとしても当該浴槽１の荷重が排水エルボ３１にかからない。したがって、浴槽１の設置時あるいは設置後に排水エルボ３１の水平方向位置の微調整が行いやすい。
【００４１】
ところで、位置合わせをより容易にするという観点からすれば、浴槽１の設置時、浴槽排水口１１の開口中心に対して排水エルボ３１の開口中心が自動的に合致させるようにすることも好ましい。図８〜図１１に示す接続構造の具体例においては、浴槽１の設置時に排水エルボ３１を従動させる第１の従動部として機能する環状ガイド６が例えば当該排水エルボ３１に設けられている。この環状ガイド６は、浴槽排水口１１の下側のボス部１１ａよりも広く形成された環状の傾斜部からなり（図８参照）、ボス部１１ａに当接した際、排水エルボ３１を水平移動させ、浴槽排水口１１の開口中心に対して当該排水エルボ３１の開口中心が合致させる（図９、図１０参照）。中心が合致した後は、上述した場合と同様、ゴムパッキン５２を介在させつつ締付けフランジ５１を締め付けて排水エルボ３１を浴槽排水口１１に接続する（図１１参照）。このような環状ガイド６によれば、浴槽１を設置する際、排水エルボ３１の水平方向位置が自動的に微調整されることとなるため、作業者が自ら排水エルボ３１を浴槽排水口１１に対して位置調整する作業が不要となり、簡便である。なお、ここでは排水エルボ３１の上面に環状ガイド６を設けた例を示したが、これ以外にも、例えばボス部１１ａの周面をテーパー状にして環状ガイドとして機能させるようにした構成などとすることもできる。
【００４２】
上述と同様に位置合わせをより容易にするという観点からすれば、あるいは、締付けフランジ５１を締め付ける動作に付随して排水エルボ３１の開口中心を浴槽排水口１１の開口中心に合致させるようにしてもよい。図１２に示す接続構造の具体例においては、締付けフランジ５１の先端にテーパー状のガイド５１ａを設け、当該締付けフランジ５１を締め付けると、排水エルボ３１が自動的にガイド５１ａに案内されて位置合わせされるようにしている。この際、排水エルボ３１のうち、締付けフランジ５１のガイド５１ａが当接する部分（本実施形態の場合、排水エルボ３１の開口縁３１ｂ）は、締付け動作に付随して従動する従動部として作用する（図１２参照）。このような構造の接続構造においては、締付けフランジ５１を締め付ける際、排水エルボ３１の水平方向位置が自動的に微調整されることとなるため、作業者が自ら排水エルボ３１を浴槽排水口１１に対して位置調整する作業が不要となり、簡便である。
【００４３】
さらに、浴槽排水口１１の開口中心と排水エルボ３１の開口中心とが一致していない場合には当該浴槽１を所定位置に設置することが妨げられる仕組みの接続構造であれば、作業者にとってみれば当該状況を容易に把握することができて簡便である。図１３〜図１５に示す接続構造の具体例においては、排水エルボ３１の開口周辺に環状突起部３１ｃを形成している。この環状突起部３１ｃはその外径が浴槽排水口１１の内径よりも僅かに小さくされており（図１３等参照）、浴槽排水口１１の開口中心と排水エルボ３１の開口中心とが一致していれば浴槽排水口１１に嵌り込むが（図１４、図１５参照）、浴槽排水口１１の開口中心と排水エルボ３１の開口中心とが一致していなければ浴槽１を傾かせる障害部として機能する。このような接続構造によれば、作業者は、浴槽排水口１１と排水エルボ３１の各開口中心が一致していないことを一目瞭然で視認できるので、排水エルボ３１を浴槽排水口１１に対して位置調整する作業を忘れずに実施することができるようになる。なお、環状突起部３１ｃは障害部として機能する部材の一例にすぎない。上述したごとき障害部として機能しうる限りは、その他の形態、例えば環状に配置された複数の突起などで当該障害部が形態となっていても構わない。
【００４４】
また、浴槽排水管３のフレキシブル管３２（図１６等参照）に曲がり癖がある場合にも、排水エルボ３１を係止部４１において水平に保持できる接続構造とすることも好ましい。図１７に示す接続構造の具体例においては、排水エルボ３１に、フランジ部３１ａの他に別のフランジ部３１ｄを設け、これら両フランジ部３１ａ，３１ｄによって架台４の係止部４１を挟み込むようにしている。これによれば、フレキシブル管３２の曲がり癖による影響を封じ込め、排水エルボ３１を水平な状態で保持することができる。ここまで説明したように、本実施形態では排水エルボ３１をネジなどで強固に固定しているわけではないのでフレキシブル管３２の曲がり癖により排水エルボ３１が傾き水密性に影響が及ぶおそれがあるが、このようにして排水エルボ３１を水平に保ちながら保持することとすればこのようなおそれがない。なお、両フランジ部３１ａ，３１ｄの間隔は特に限定されるものではないが、架台４の係止部４１の厚みと同等とすれば隙間が少なくなって排水エルボ３１をより水平に近い状態で保持することができる。
【００４５】
また、上述したように、係止部４１の具体的な構造は特に限定されないが、架台４の所定位置に設けられた切り欠き等を当該係止部４１として用いることは好ましい形態である（図５等参照）。この形態の詳細な一例を示すと、図１８〜図２０に示す具体例では、架台４の所定位置に例えばＵ字状の切り欠きを設け、該切り欠きを係止部４１として機能させている。こうした場合、排水エルボ３１と浴槽１がそれぞれ架台４に対して位置決めされることとなるため、これら各部材の相対的位置を位置決めするために介在させる部材が最小限で済み、組立誤差や寸法誤差による浴槽排水口１１と排水エルボ３１の開口の位置ズレを最小化することができる。さらに、本実施形態の場合、浴槽１の裏面には位置合わせ用突起１３が設けられており、これら位置合わせ用突起１３を、架台４に設けられている位置合わせ用凹部４２に嵌め込むことによって架台４の所定位置に浴槽１を設置することができるようになっている（図１８、図１９参照）。上述のような接続構造によれば、位置合わせ用突起１３等により浴槽１を位置合わせすれば浴槽排水口１１と排水エルボ３１との位置合わせが同時に行われる、換言すれば浴槽１の設置が済めば浴槽排水管３の設置も済んだ状態になっているので、設置作業が簡便である。
【００４６】
なお、上述の実施形態は本発明の好適な実施の一例ではあるがこれに限定されるものではなく本発明の要旨を逸脱しない範囲において種々変形実施可能である。例えば本実施形態では、浴槽排水管３の排水エルボ３１を架台４の係止部４１に引っ掛けて保持するようにした形態を例示したがこれは一例にすぎない。ここで例示した排水エルボ３１は浴槽排水管３のうち浴槽排水口１１に接続される部分の典型例であって、浴槽排水管３の端部が排水エルボ以外の場合に本発明の適用が妨げられる趣旨ではない。
【符号の説明】
【００４７】
１：浴槽
２：洗い場
３：浴槽排水管（排水部材）
４：架台（浴槽支持材）
５：締付け部材
６：環状ガイド（第１の従動部）
１１：浴槽排水口
２２：洗い場排水口
２４：排水トラップ
３１：排水エルボ
３１ｂ：開口縁（第２の従動部）
３１ｃ：環状突起部（障害部）
３２：フレキシブル管（可撓部）
３３：配管
４１：係止部
５１：締付けフランジ
【図１２】
0005660307.tif 000002
【図１】
0005660307.tif 000003
【図２】
0005660307.tif 000004
【図３】
0005660307.tif 000005
【図４】
0005660307.tif 000006
【図５】
0005660307.tif 000007
【図６】
0005660307.tif 000008
【図７】
0005660307.tif 000009
【図８】
0005660307.tif 000010
【図９】
0005660307.tif 000011
【図１０】
0005660307.tif 000012
【図１１】
0005660307.tif 000013
【図１３】
0005660307.tif 000014
【図１４】
0005660307.tif 000015
【図１５】
0005660307.tif 000016
【図１６】
0005660307.tif 000017
【図１７】
0005660307.tif 000018
【図１８】
0005660307.tif 000019
【図１９】
0005660307.tif 000020
【図２０】
0005660307.tif 000021